(57)【要約】【課題】予測時点で切替えを実施する構成では切替えを特定の時間帯でのみ実施する必要があり、そのような構成ではパス品質の劣化の早期発見が困難になり、パスの品質が所定値以下に低下する前にパスを切替えることができなくなる。【解決手段】切替予約情報生成手段は、現用パスの品質情報の履歴に基づいて現用パスの品質が所定値以下に低下する時刻を周期的に予測し、予測時点から予測した時刻までの期間のうち予め設定された切替実施時間帯中の或る時刻を予約時刻として、現用パスを予備パスに切替える処理を指示する切替予約情報を生成する。制御手段は、切替予約情報で指定された予約時刻の到来時に現用パスを予備パスに切替える指示を出力する。切替選択手段は、指示に従って現用パスを予備パスに切替える。【選択図】図１
2011155533.tif 000002
【特許請求の範囲】
【請求項１】
現用パスの品質情報の履歴に基づいて前記現用パスの品質が所定値以下に低下する時刻を周期的に予測し、予測時点から前記予測した時刻までの期間のうち予め設定された切替実施時間帯中の或る時刻を予約時刻として、前記現用パスを予備パスに切替える処理を指示する切替予約情報を生成する切替予約情報生成手段と、
前記切替予約情報で指定された予約時刻の到来時に前記現用パスを前記予備パスに切替える指示を出力する制御手段と、
前記指示に従って前記現用パスを前記予備パスに切替える切替選択手段と
を備えることを特徴とする伝送装置。
【請求項２】
前記制御手段は、同じ前記現用パスに関して異なる切替予約情報が前記切替予約情報生成手段で新たに生成された場合には、最新の切替予約情報を残して他の切替予約情報を無効にする
ことを特徴とする請求項１に記載の伝送装置。
【請求項３】
前記切替予約情報生成手段は、予備パスが複数存在する場合、各予備パスの品質情報の履歴に基づいて各予備パスの品質が所定値以下に低下する時刻を予測し、該予測した時刻が最も遅い予備パスを切替先パスとして前記切替予約情報中に記述する
ことを特徴とする請求項１または２に記載の伝送装置。
【請求項４】
前記切替予約情報生成手段は、予測時点から前記予測した時刻までの期間に複数の切替実施時間帯が複数存在する場合、その何れの切替実施時間帯に予約時刻を設定するかをユーザ入力により決定する
ことを特徴とする請求項１、２または３に記載の伝送装置。
【請求項５】
前記切替予約情報生成手段は、予測時点から前記予測した時刻までの期間に複数の切替実施時間帯が複数存在する場合、最も後の切替実施時間帯に予約時刻を設定する
ことを特徴とする請求項１、２または３に記載の伝送装置。
【請求項６】
前記切替予約情報生成手段は、予測時点から前記予測した時刻までの期間に複数の切替実施時間帯が存在する場合、最も前の切替実施時間帯に予約時刻を設定する
ことを特徴とする請求項１、２または３に記載の伝送装置。
【請求項７】
現用パスの品質情報の履歴に基づいて前記現用パスの品質が所定値以下に低下する時刻を周期的に予測し、予測時点から前記予測した時刻までの期間のうち予め設定された切替実施時間帯中の或る時刻を予約時刻として、前記現用パスを予備パスに切替える処理を指示する切替予約情報を生成し、
前記切替予約情報で指定された予約時刻の到来時に前記現用パスを前記予備パスに切替える指示を出力し、
前記指示に従って前記現用パスを前記予備パスに切替える
ことを特徴とする伝送装置におけるパス切替方法。
【請求項８】
コンピュータを、
現用パスの品質情報の履歴に基づいて前記現用パスの品質が所定値以下に低下する時刻を周期的に予測し、予測時点から前記予測した時刻までの期間のうち予め設定された切替実施時間帯中の或る時刻を予約時刻として、前記現用パスを予備パスに切替える処理を指示する切替予約情報を生成する切替予約情報生成手段と、
前記切替予約情報で指定された予約時刻の到来時に前記現用パスを前記予備パスに切替える指示を出力する制御手段と
して機能させるためのプログラム。
【発明の詳細な説明】
【技術分野】
【０００１】
本発明は伝送装置に関し、特にパスの切替え機能を有する伝送装置に関する。
【背景技術】
【０００２】
パケットなどの信号が流れる通信路であるパスを冗長化した伝送装置では、障害や経年変化などによりパスの品質が劣化すると、別のパスに切替えて通信が継続される。例えば、WDM（Wavelength Division Multiplex）方式の光伝送システムでは、パスの始点となる伝送装置とパスの終点となる伝送装置との間に、現用パスに加えて予備パスを予め設定しておき、現用パスの障害発生時に終点の伝送装置側でパス切替を実施することで、予備パスを使用して通信を継続するパスプロテクションが実施されている。しかし、パスの切替え時には多少なりとも瞬断が発生するため、パスに流れている信号が一時的に切断される。そこで、パス切替えに伴う瞬断による影響を軽減するための技術が幾つか提案されている。
【０００３】
例えば特許文献1では、電話回線を切替え対象のパスとし、通話中の電話回線を収容している伝送路の切替えによる瞬断の影響を軽減するための技術が提案されている。具体的には、現用の伝送路の伝送路品質情報を基に伝送路状況の予測情報を作成し、この予測情報に基づいて、呼が交換機に入呼した時点から所定の時間（例えば平均保留時間）以内に伝送路品質が劣化する可能性を推定し、劣化する可能性がある場合には伝送路を予備伝送路に切り替えた後に呼を接続する。これにより、呼の接続中に伝送路品質の劣化による伝送路切替えが発生する、つまり瞬断が発生する可能性を削減している。
【０００４】
また特許文献2では、伝送路の切替えを、使用頻度の低い時間帯（例えば一般ユーザでは夜間、企業では休日など）に行うようにしている。
【先行技術文献】
【特許文献】
【０００５】
【特許文献１】特開平11−168410号公報
【特許文献２】特開2002-164856号公報
【発明の概要】
【発明が解決しようとする課題】
【０００６】
特許文献1に記載の技術では、呼の接続時に伝送路の将来の品質劣化状況を推定し、伝送路品質が劣化する可能性があると推定した場合には伝送路の切替えを直ちに実施した後に呼を接続している。つまり、予測時点と切替え時点とが同じである。このため、信号量の多い日中などにおいても伝送路の切替えが発生するおそれがある。
【０００７】
他方、特許文献2には、伝送路の切替えを特定の時間帯で実施するようにしている。しかし、通信品質の劣化状況を考慮していないので、特定の時間帯になるのを待っている間に伝送路の品質が劣化してしまう可能性がある。その結果として、信号量の多い時間帯に通信品質の劣化による切替えが発生し、多くの信号が瞬断の影響を受けるおそれがある。
【０００８】
特許文献1と特許文献2とを組み合わせ、パスの通信品質の劣化状況の推定結果を考慮して特定の時間帯、例えば深夜にパスの切替えを実施する構成では、予測を深夜でのみ実施する必要がある。このため、日中に予測をしていれば早期に発見できたパスの通信品質の劣化を見落とす可能性がある。その結果として、信号量の多い日中に通信品質の劣化によるパスの切替えが発生し、多くの信号が瞬断の影響を受けるおそれがある。
【０００９】
本発明の目的は、予測時点で切替えを実施する構成では切替えを特定の時間帯でのみ実施する必要があり、そのような構成ではパス品質の劣化の早期発見が困難になり、パスの品質が所定値以下に低下する前にパスを切替えることができなくなる、という課題を解決する伝送装置を提供することにある。
【課題を解決するための手段】
【００１０】
本発明の一形態にかかる伝送装置は、現用パスの品質情報の履歴に基づいて上記現用パスの品質が所定値以下に低下する時刻を周期的に予測し、予測時点から上記予測した時刻までの期間のうち予め設定された切替実施時間帯中の或る時刻を予約時刻として、上記現用パスを予備パスに切替える処理を指示する切替予約情報を生成する切替予約情報生成手段と、上記切替予約情報で指定された予約時刻の到来時に上記現用パスを上記予備パスに切替える指示を出力する制御手段と、上記指示に従って上記現用パスを上記予備パスに切替える切替選択手段とを備えている。
【発明の効果】
【００１１】
本発明は上述のように構成されているため、通信路の品質の劣化状況の推定結果を考慮して特定の時間帯に通信路の切替えを実施することができ、しかも、通信路の品質の劣化を早期に発見することが可能になる。
【図面の簡単な説明】
【００１２】
【図１】本発明の第1の実施形態のブロック図である。
【図２】本発明の第2の実施形態の前提となるコアネットワークのブロック図である。
【図３】本発明の第2の実施形態の前提となるコアネットワークのより詳細なブロック図である。
【図４】本発明の第2の実施形態の前提となるコアネットワークにおけるパスのFEC訂正エラー率の時間的な変化とパス切替との関係を示す図である。
【図５】本発明の第2の実施形態の前提となる別のコアネットワークのブロック図である。
【図６】本発明の第2の実施形態の前提となる別のコアネットワークのより詳細なブロック図である。
【図７】回線切替えに適する時間帯と不適な時間帯を示す図である。
【図８】本発明の第2の実施形態のブロック図である。
【図９】本発明の第2の実施形態におけるパスのFEC訂正エラー率の計測値から将来のFEC訂正エラー率を予測する方法の一例の説明図である。
【図１０】本発明の第2の実施形態におけるパスのFEC訂正エラー率の計測値と予測値の時間的な変化の一例を示す図である。
【図１１】本発明の第2の実施形態におけるパスのFEC訂正エラー率の計測値と予測値の時間的な変化の他の例を示す図である。
【発明を実施するための形態】
【００１３】
次に本発明の実施の形態について図面を参照して詳細に説明する。
【００１４】
[第1の実施形態]
図1を参照すると、本発明の第1の実施形態にかかる伝送装置10は、切替選択部11と切替予約情報生成部12と制御部13とを主たる機能部として備え、現用パス14と少なくとも1本の予備パス15とを通じて、図示しない他の伝送装置からの信号を受信している。
【００１５】
切替予約情報生成部12は、現用パス14を通じて受信した信号に基づいて現用パス14の品質情報を生成し、この品質情報の履歴に基づいて、現用パス14の品質が所定値以下に低下する時刻を周期的に予測する機能を有する。また、切替予約情報生成部12は、現時点から上記予測した時刻までの期間のうち、予め設定された切替実施時間帯中の或る時刻を予約時刻として、現用パス14を予備パス15に切替える処理を指示する切替予約情報を生成する機能を有する。
【００１６】
制御部13は、切替予約情報生成部12で生成された切替予約情報で指定された予約時刻が到来するのを監視し、予約時刻になった時点で、現用パス14を予備パス15に切替える指示を切替選択部11に出力する機能を有する。
【００１７】
切替選択部11は、制御部13からの指示に従って、パス16に接続するパスを、現用パス14から予備パス15に切替える機能を有する。
【００１８】
このように構成された本実施形態の伝送装置10は、以下のように動作する。
【００１９】
切替予約情報生成部12は、例えば一定時間ごとに、現用パス14の品質情報のそれまでの履歴に基づいて、現用パス14の品質が所定値以下に低下する時刻を予測する。次に、切替予約情報生成部12は、現時点から予測した時刻までの期間のうち、予め設定された切替実施時間帯中の或る時刻を予約時刻として、現用パス14を予備パス15に切替える処理を指示する切替予約情報を生成する。切替予約情報は、例えば、切替予約時刻、切替元となるパスの識別子、切替先となるパスの識別子を含む。
【００２０】
予備パス15が複数存在する場合、切替先となるパスは、複数の予備パスから任意の方法で選択される。切替予約情報生成部12は、例えば、予測時点で品質が最も良い予備パスを切替パスとして選択する。または切替予約情報生成部12は、各予備パスの品質情報の履歴に基づいて各予備パスの品質が所定値以下に低下する時刻を予測し、予測した時刻が最も遅い予備パスを切替先パスとして選択する。
【００２１】
予測した時刻までの期間に複数の切替実施時間帯が存在する場合、切替予約情報生成部12は、任意の方法で予約時刻を設定する切替実施時間帯を選択する。例えば切替予約情報生成部12は、何れの切替実施時間帯に予約時刻を設定するかを、伝送装置10を管理するユーザからの入力により決定する。または切替予約情報生成部12は、最も後の切替実施時間帯に予約時刻を設定する。または切替予約情報生成部12は、最も前の切替実施時間帯に予約時刻を設定する。
【００２２】
制御部13は、切替予約情報生成部12で生成された切替予約情報を保持し、切替予約情報で指定された予約時刻が到来するのを監視する。制御部13は、現用パス14に関して異なる切替予約情報が切替予約情報生成部12で新たに生成された場合には、最新の切替予約情報で指定された予約時刻が到来するのを監視し、他の切替予約情報は無効にする。そして、制御部13は、切替予約情報で指定された予約時刻になった時点で、現用パス14を予備パス15に切替える指示を出力する。
【００２３】
切替選択部11は、現用パス14をパス16に接続している状態において、制御部13から現用パス14を予備パス15に切替える指示を受けると、現用パス14の代わりに予備パス15をパス16に接続する。
【００２４】
本実施形態によれば、通信路の品質の劣化状況の推定結果を考慮して特定の時間帯に通信路の切替えを実施することができ、しかも、通信路の品質の劣化を早期に発見することが可能になる。その理由は、予測時点と切替時点とを分離し、予測は周期的に実施し、切替えは特定の時間帯に実施するようにしているためである。
【００２５】
[第2の実施形態]
次に本発明の第2の実施形態について説明する。この第2の実施形態は、複数のパスを持つ伝送路と光伝送装置からなるWDM技術を用いたコアネットワークに対して、本発明を適用したものである。まず、本実施形態の前提となるコアネットワークについて説明する。
【００２６】
図2は複数のパスを持つ伝送路と光伝送装置からなるWDM技術を用いたコアネットワークの代表的な構成を示すブロック図である。図2において、伝送装置N1〜N6は光伝送装置であり、光ファイバによって構成される伝送路1〜伝送路8によって互いに接続され、通信ネットワークが形成されている。図1では、伝送路1は伝送装置N1と伝送装置N2を、伝送路2は伝送装置N2と伝送装置N3を、伝送路3は伝送装置N1と伝送装置N4を、伝送路4は伝送装置N2と伝送装置N5を、伝送路5は伝送装置N2と伝送装置N6を、伝送路6は伝送装置N3と伝送装置N6を、伝送路7は伝送装置N4と伝送装置N5を、伝送路8は伝送装置N5と伝送装置N6を、それぞれ接続している。
【００２７】
伝送装置N1は、クライアントからのEthernet（登録商標）やSONET/SDH信号を予め決められた異なる波長に変換することでWDM用信号に変換し、伝送路1にWDMの光信号を出力する。伝送装置N2は、伝送路1を通ったWDM信号を受信し、この受信信号を予め決められた異なる波長に変換することでWDM用信号に変換し、伝送路2と伝送路5とにWDMの光信号を出力する。伝送装置N3は、伝送路2を通ったWDM信号を受信し、この受信信号を予め決められた異なる波長に変換することでWDM用信号に変換し、伝送路6にWDMの光信号を出力する。伝送装置N6は、伝送路5を通ったWDM信号と、伝送路6を通ったWDM信号を受信する。
【００２８】
パスP1は、WDM信号が伝送装置N1、伝送路1、伝送装置N2、伝送路2、伝送装置N3、伝送路6と通った後、伝送装置N6に至る経路である。同様に、パスP2は、WDM信号が伝送装置N1、伝送路1、伝送装置N2、伝送路5を通った後、伝送装置N6に至る経路である。
【００２９】
パスP2は、パスP1の予備のパスとして利用される。WDMを用いたコアネットワークでは、主信号が通るパスはひとつだが、伝送路や伝送装置に障害が起きたときに主信号に影響を及ぼさないよう、予備のパスとして冗長パスを張ることが多い。そのため、図2では主信号のパスP1以外に、冗長パスとしてパスP2が張られており、障害時にパスP2へ切替えて、主信号のパスP1の復旧を行う。切替え時には50ms以内の瞬時の主信号切断（瞬断）が発生するため、主信号に影響が出る。
【００３０】
瞬断以外にも主信号の切断といった障害は、道路工事によって誤って伝送路の光ファイバを切断したり、伝送装置の破損や保守の際に装置内接続で用いられる光ファイバの切断などが原因として発生する。また、主信号の品質劣化といった障害は、伝送路や装置内接続で用いられる光ファイバに風などにより曲げや引っ張りが起こり、光信号にロスが発生してしまうことにより発生する。さらに、伝送装置の部品の経年劣化による光送受信特性が劣化すると、主信号の品質劣化の障害が発生する。
【００３１】
伝送装置N6は、通常はパスP1のWDM用信号をEthernetやSONET/SDH信号のクライアント信号へ変換し出力しているが、パス切替え後は、パスP2 のWDM用信号をEthernetやSONET/SDH信号のクライアント信号へ変換し出力する。
【００３２】
図3は、図2のパスP1,P2が通る伝送装置N1,N2,N3,N6の内部構成例を示している。各伝送装置N1,N2,N3,N6は、主信号のパワーを増幅する光増幅器A1〜光増幅器A8を有する。伝送路や伝送装置を光信号が通過するとそれらが持つ損失のために、主信号のパワーが弱くなってしまう。パワーが弱まると受信部R1においてノイズなのか主信号なのか判別が出来なくなり、パスの始点となる伝送装置N1の送信部T1に入力されたクライアント信号を、パスの終点となる伝送装置N6の受信部R1で正しく復元することが出来なくなってしまう。そのため光増幅器A1〜光増幅器A8によって主信号のパワーを増幅する必要がある。
【００３３】
伝送装置N1,N2,N3,N6は、それぞれクロスコネクト装置X1〜X6を有している。クロスコネクト装置X1〜X6は、主信号を別の光ファイバの伝送路に接続・分岐する、主信号の経路変更の機能を持っている。クロスコネクト装置への入力信号は、伝送装置内の光増幅器を介して他の伝送路へ出力される。具体的には、パスの始点となる伝送装置N1の送信部T1は、EthernetやSONET/SDH信号などのクライアント信号をWDM信号に変換し、クロスコネクト装置X1、光増幅器A1を通じて伝送路1へ出力する。伝送装置N2のクロスコネクト装置X2は、このWDN信号を光増幅器A2を通じて入力し、パスP1用のWDN信号を光増幅器A4を通じて伝送路5へ出力し、パスP2用のWDN信号を光増幅器A3を通じて伝送路2へ出力する。伝送装置N3のクロスコネクト装置X3は、パスP2のWDN信号を光増幅器A5を通じて入力し、パスP2用のWDN信号を光増幅器A6を通じて伝送路6へ出力する。伝送装置N6のクロスコネクト装置X6は、パスP1のWDN信号を光増幅器A8を通じて入力して回線品質測定部M1へ出力し、パスP2のWDN信号を光増幅器A7を通じて入力して回線品質測定部M1へ出力する。
【００３４】
伝送装置N6の回線品質測定部M1は、パスP1の回線品質データD1とパスP2の回線品質データD2とを一定時間毎に測定し、切替判定部K1に送信する。回線品質データとしては、例えばFEC(Forward Error
Correction)訂正前エラー率を用いることができる。FEC訂正前エラー率とはFECを用いたエラー訂正を行う前の誤り率のことである。
【００３５】
伝送装置N6の切替判定部K1は、回線品質測定部M1から受信したFEC訂正前エラー率などの回線品質データD1と回線品質データD2とによって、パスP1とパスP2の回線状態を監視する。図4のように、FEC訂正前エラー率などの回線品質データに対してあらかじめ上限値（限界値）が伝送装置N6の切替判定部K1に設定されている。切替判定部K1は、回線品質データが限界値を超えると回線品質が悪化したとみなして回線を切替える判定結果を出力する。例えば、図4の時刻10において、パスP1のFEC訂正前エラー率などの回線品質データD1が限界値を超えると、回線品質が悪化したと判断し、主信号のパスP1を冗長化されたパスP2に切替える判定結果を出力する。
【００３６】
伝送装置N6の制御部C1は、切替判定部K1から判定結果を受け取り、その判定結果を基に切替選択部S1に制御信号を送信する。切替選択部S1は、制御部C1からの制御信号に従ってパスを切替え、回線品質測定部M1から受信したパスのWDM信号を受信部R1へ送信する。受信部R1は、切替選択部S1からWDM信号を受信し、EthernetやSONET/SDH信号のクライアント信号へ変換し出力する。
【００３７】
図5は複数の予備パスを持つ伝送路と光伝送装置からなるWDM技術を用いたコアネットワークの代表的な構成を示すブロック図である。図2と比較して、パスP3がさらに追加されている。このパスP3は、WDM信号が伝送装置N1、伝送路1、伝送装置N2、伝送路4、伝送装置N5、伝送路8と通った後、伝送装置N6に至る経路である。このパスP3は、パスP2と同様に予備のパスとして利用される。このコアネットワークでは、パスP1の障害時に、パスP2かパスP3の何れか一方を用いて、主信号のパスP1の復旧を行う。
【００３８】
図6は、図5のパスP1,P2が通る伝送装置N1,N2,N3,N5,N6の内部構成例を示している。図6を参照すると、パスの始点となる伝送装置N1の送信部T1は、EthernetやSONET/SDH信号などのクライアント信号をWDM信号に変換し、クロスコネクト装置X1、光増幅器A1を通じて伝送路1へ出力する。伝送装置N2のクロスコネクト装置X2は、このWDN信号を光増幅器A2を通じて入力し、パスP1用のWDN信号を光増幅器A4を通じて伝送路5へ出力し、パスP2用のWDN信号を光増幅器A3を通じて伝送路2へ出力し、パスP3用のWDN信号を光増幅器A9を通じて伝送路4へ出力する。伝送装置N3のクロスコネクト装置X3は、パスP2のWDN信号を光増幅器A5を通じて入力し、パスP2用のWDN信号を光増幅器A6を通じて伝送路6へ出力する。伝送装置N5のクロスコネクト装置X5は、パスP3のWDN信号を光増幅器A10を通じて入力し、パスP3用のWDN信号を光増幅器A11を通じて伝送路8へ出力する。伝送装置N6のクロスコネクト装置X6は、パスP1のWDN信号を光増幅器A8を通じて入力して回線品質測定部M1へ出力し、パスP2のWDN信号を光増幅器A7を通じて入力して回線品質測定部M1へ出力し、パスP3のWDN信号を光増幅器A11を通じて入力して回線品質測定部M1へ出力する。
【００３９】
伝送装置N6の回線品質測定部M1は、パスP1の回線品質データD1とパスP2の回線品質データD2とパスP3の回線品質データD3を一定時間毎に測定し、切替判定部K1に送信する。回線品質データとしては、前述したようにFEC(Forward Error
Correction)訂正前エラー率を用いることができる。
【００４０】
伝送装置N6の切替判定部K1は、回線品質測定部M1から受信したFEC訂正前エラー率などの回線品質データD1と回線品質データD2と回線品質データD3とによって、パスP1とパスP2とパスP3の回線状態を監視する。FEC訂正前エラー率などの回線品質データに対してあらかじめ限界値が伝送装置N6の切替判定部K1に設定されている。切替判定部K1は、回線品質データが限界値を超えると回線品質が悪化したとみなして回線を切替える判定結果を出力する。例えば、パスP1のFEC訂正前エラー率などの回線品質データD1が限界値を超えると、回線品質が悪化したと判断し、主信号のパスP1を冗長化されたパスP2またはパスP3に切替える判定結果を出力する。このとき、パスP2の回線品質データD2とパスP3の回線品質データD3を比較し、より良好なパスを切替先パスにすることにより、主信号のパスの回線品質がさらに悪化することを予防することができる。
【００４１】
伝送装置N6の制御部C1は、切替判定部K1から判定結果を受け取り、その判定結果を基に切替選択部S1に制御信号を送信する。回線選択部S1は、制御部C1からの制御信号に従ってパスを切替え、回線品質測定部M1から受信したパスのWDM信号を受信部R1へ送信する。受信部R1は、切替選択部S1からWDM信号を受信し、EthernetやSONET/SDH信号のクライアント信号へ変換し出力する。
【００４２】
パスP1とパスP2とパスP3だけでなく、パスP4、P5、P6など、3つ以上の予備パスを張った場合も同様に考えることができる。尚、図3や図6においては、回線品質向上のため通過帯域以外の帯域をカットする機能を持った波長ブロッカ部などを有してもよい。
【００４３】
上述したように、回線品質データD1〜D3を一定時間毎に測定し、現用パスの回線品質データD1が限界値を超えた時点でパスの切替えを実施する構成では、パスの切替えは一日の24時間中の何時でも起こりうる。パス切替えは50msの瞬断を伴うため、若し、パスの切替えが主信号量の多い日中に行われると、多くの利用者に影響を及ぼすことになる。図7に示すように、切替えを行うのはネットワーク利用者が多い6:00〜24:00よりも、深夜帯0:00〜6:00の方が瞬断の影響を受けるユーザが少ないので適している。ここで、本実施形態では、6:00〜24:00の時間帯を回線切替えに不適な時間帯、0:00〜6:00の時間帯を回線切替えに適する時間帯、つまり回線実施時間帯に予め設定し、後述する切替判定部K2に設定している。
【００４４】
そこで本実施の形態では、伝送装置N6にデータベースとデータ近似部を用意する。データベースには回線品質データを格納し、データ近似部へ過去の回線品質データを送信する。過去の回線品質データにより、データ近似部はどのように回線品質データが振舞うのか近似（予測）し、近似データを切替え判定部へ送信する。切替判定部は、近似データから切替えが発生するおおよその年月日と時刻が分かる。若し、この時刻が深夜帯でなければ、前日の深夜帯に前もって切替えることができるので、瞬断の影響を受けるユーザを減らすことが可能になる。
【００４５】
図8は本実施形態のブロック図である。図6と比較して、伝送装置N6の構成が相違する。伝送装置N6は、光増幅器A7,A8,A11と、クロスコネクト装置X6と、回線品質測定部M1と、切替選択部S1と、受信部R1と、データベースDBと、データ近似部E1と、切替判定部K2と、制御部C2とを備えている。ここで、回線品質測定部M1、データベースDB、データ近似部E1、および切替判定部K2が図1の切替予約情報生成部12に相当する。
【００４６】
伝送装置N6のクロスコネクト装置X6は、パスP1のWDN信号を光増幅器A8を通じて入力して回線品質測定部M1へ出力し、パスP2のWDN信号を光増幅器A7を通じて入力して回線品質測定部M1へ出力し、パスP3のWDN信号を光増幅器A11を通じて入力して回線品質測定部M1へ出力する。
【００４７】
伝送装置N6の回線品質測定部M1は、パスP1,P2,P3のそれぞれのWDN信号に基づいて、FEC訂正前エラー率などの回線品質データD1,D2,D3を一定時間毎に測定し、それぞれパスP1,P2,P3の回線品質情報として、データベースDBに送信する。
【００４８】
データベースDBは、回線品質測定部M1からパスP1,P2,P3の回線品質データD1,D2,D3を受け取り、蓄積する。回線品質測定部M1がデータベースDBへ回線品質データD1を送信した時刻をtとすると、データベースDBは、時刻tに受信した回線品質データD1を回線品質データD1_tと名前を付けて保存する。同様にデータベースDBは、時刻tに受信した回線品質データD2を回線品質データD2_tと名前を付けて保存する。同様にデータベースDBは、時刻tに受信した回線品質データD3を回線品質データD3_tと名前を付けて保存する。そして、データベースは、過去一定期間に蓄積された回線品質データD1_1,D1_2,…,D1_t、D2_1,D2_2,…,D2_t、D3_1,D3_2,…,D3_tをデータ近似部E1へ送信する。
【００４９】
データ近似部E1は、以下のようにして、将来の回線品質データを近似（予測）する。
【００５０】
今、縦軸にFEC訂正エラー率yをとり、横軸に時刻をとったときに、現用パスP1のFEC訂正エラー率の回線品質データの履歴として、時刻t=4の時点で、図9のようになったとする。データ近似部E1は、時刻t4までの回線品質データD1_1,D1_2,D1_3,D1_4を近似する関数f(t)を生成する。例えば一次関数f(t) = At +Bを使用する場合、回線品質データD1_1,D1_2,D1_3,D1_4を近似するパラメータA,Bの値を決定する。今、その関数がf(t) = at +b となったとする。伝送装置N6のデータ近似部E1は、近似した関数f(ｔ)を近似データとして伝送装置N6の切替判定部K2へ送信する。なお、近似データとして利用できる関数は一次関数に限定されず、指数関数や数列などあらゆる関数が利用できる。
【００５１】
伝送装置6の切替判定部K2は、以下のようにして切替え判定を行う。
【００５２】
切替判定部K2は、データ近似部E1から近似データを受け取ると、近似データに基づいて、現用パスのFEC訂正エラー率の回線品質データが上限値mを超える時刻tを予測する。上述した関数f(t) = at +bの場合、
t = (
m-b )/a
によって求めることができる。この時刻tよりも前にパスの切替えを積極的に実施しなければ、図6等で説明した動作によってパスの切替えが行われることになる。
【００５３】
切替判定部K2は、予測した時刻tまでの期間内に、予め設定された切替実施時間帯が含まれているか否かを調べ、含まれていれば、その切替実施時間帯中の或る時刻を予約時刻とする切替予約情報を生成し、制御部C2へ出力する。この切替予約情報は、切替えの予約時刻、切替え元となるパスの識別子、切替え先のパスとなる識別子が含まれる。
【００５４】
例えば図10に示すように、現用パスの回線品質データが上限値mを超える時刻ｔが明日の深夜帯0:00〜6:00の午前1時頃になると予測した場合、切替判定部K2は、例えば午前0時から1時までの間の或る時刻を切替えの予約時刻に設定した切替予約情報を生成し、制御部C2へ出力する。
【００５５】
また、例えば図11に示すように、現用パスの回線品質データが上限値mを超える時刻ｔが明日の日中になると予測した場合、切替判定部K2は、明日の深夜帯0:00〜6:00中の何れかの時刻を切替えの予約時刻に設定した切替予約情報を生成し、制御部C2へ出力する。
【００５６】
また、切替判定部K2は、現用パスの回線品質データが上限値mを超える時刻ｔが明後日以降になると予測した場合、その時刻までに深夜帯が複数回出現するので、その何れかの深夜帯0:00〜6:00中の何れかの時刻を切替えの予約時刻に設定した切替予約情報を生成し、制御部C2へ出力する。どの日の深夜帯に設定するかを、ユーザに問い合わせ、ユーザが回線の利用状況により判断し、切替判定部K2に指示するようにしても良い。
【００５７】
予備パスが複数存在する場合、切替先となるパスは、複数の予備パスから任意の方法で選択される。例えば切替判定部K2は、データベースDBを参照して、予測時点で品質が最も良い予備パスを切替パスとして選択する。または切替判定部K2は、現用パスと同様の方法で各予備パスについても回線品質データが上限値mを超える時刻を予測し、予測した時刻が最も遅い予備パスを切替先パスとして選択する。
【００５８】
制御部C2は、切替判定部K2から出力された切替予約情報をメモリに保持し、切替予約情報で指定された予約時刻が到来するのを監視する。制御部C2は、現用パスP1に関して異なる切替予約情報が切替判定部K2から新たに出力された場合には、最新の切替予約情報で指定された予約時刻が到来するのを監視し、古い切替予約情報は無効にする。そして、制御部C2は、切替予約情報で指定された予約時刻になった時点で、切替予約情報で指定された切替元パスを切替先パスに切替える指示を出力する。
【００５９】
切替選択部S1は、制御部C2からの指示に従って、切替元パスを切替先パスに切替える。これにより、現用パスP1が例えば予備パスP2に切替えられる。
【００６０】
このように本実施形態によれば、回線状態が悪化する時期を予測して、瞬断の影響を受けるユーザが減る時間帯に回線切替を行うことが可能になり、顧客満足度につながる。
【００６１】
以上本発明の実施形態について説明したが、本発明は以上の実施形態にのみ限定されず、その他各種の付加変更が可能である。例えば、回線品質データはFEC訂正エラー率に限らず任意の測定データを用いることが可能である。また、上記の第2の実施形態は、図6の構成を前提としたが、図3の構成を前提とする実施形態も考えられる。また、上記の各実施形態において、現時点の現用パスの回線品質データが予め設定された下限値以下であれば、現用パスの回線品質データが上限値mを当分の間超えることがないと判断して、近似データの生成、この生成された近似データに基づく予測と切替予約情報の生成の処理を省略しても良い。また、予測した時刻tまでの期間内に、予め設定された切替実施時間帯が複数含まれていれば、切替予約情報の生成の処理を省略するようにしても良い。
【００６２】
また、本発明の伝送装置の切替予約情報生成部と制御部等は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを切替予約情報生成部や制御部等として機能させる。
【符号の説明】
【００６３】
1〜8…伝送路
10…伝送装置
11…切替選択部
12…切替予約情報生成部
13…制御部
14…現用パス
15…予備パス
16…パス
【図１】
2011155533.tif 000003
【図２】
2011155533.tif 000004
【図３】
2011155533.tif 000005
【図４】
2011155533.tif 000006
【図５】
2011155533.tif 000007
【図６】
2011155533.tif 000008
【図７】
2011155533.tif 000009
【図８】
2011155533.tif 000010
【図９】
2011155533.tif 000011
【図１０】
2011155533.tif 000012
【図１１】
2011155533.tif 000013